(57)【要約】【課題】  光源に対して光源および導光板を覆う反射シートを正確に位置決めする画像読み取り装置用照明ユニットを提供する。【解決手段】  透明な板状に形成され、板厚方向の両面に突起を有する導光板と、前記導光板の外周縁側方に沿って設置されている光源と、前記突起に嵌合する嵌合穴を有し、前記突起に前記嵌合穴が嵌合した状態で前記光源および少なくとも前記光源が設置されている前記外周縁側の前記導光板の前記両面を覆い、前記光源および前記導光板を覆っている内面で前記光源から照射される光を反射し、反射した光を通過させて原稿台に載置される原稿に照射する窓部を前記導光板の前記両面の一方側に設けている反射シートと、を備える画像読み取り装置用照明ユニット。【選択図】      図１
2007036939.tif 000002
【特許請求の範囲】
【請求項１】
透明な板状に形成され、板厚方向の両面に突起を有する導光板と、
前記導光板の外周縁側方に沿って設置されている光源と、
前記突起に嵌合する嵌合穴を有し、前記突起に前記嵌合穴が嵌合した状態で前記光源および少なくとも前記光源が設置されている前記外周縁側の前記導光板の前記両面を覆い、前記光源および前記導光板を覆っている内面で前記光源から照射される光を反射し、反射した光を通過させて原稿台に載置される原稿に照射する窓部を前記導光板の前記両面の一方側に設けている反射シートと、
を備える画像読み取り装置用照明ユニット。
【請求項２】
前記導光板は四角形状に形成され、前記突起は前記両面の各面において長手方向両端側に設けられている請求項１に記載の画像読み取り装置用照明ユニット。
【請求項３】
前記突起の間隔は、前記導光板の前記両面で異なっている請求項２に記載の画像読み取り装置用照明ユニット。
【請求項４】
前記窓部を覆い、長手方向の一端側の前記突起に嵌合する嵌合穴と、長手方向の他端側の前記突起に位置決めされる切り欠きとを有する光拡散シートをさらに備える請求項２または３に記載の画像読み取り装置用照明ユニット。
【請求項５】
前記切り欠きは、前記光拡散シートの角部を切り欠いて形成されている請求項４に記載の画像読み取り装置用照明ユニット。
【請求項６】
前記突起は前記光源が設置されている前記導光板の前記外周縁近傍に設けられている請求項１から５のいずれか一項に記載の画像読み取り装置用照明ユニット。
【請求項７】
透過原稿を照明する請求項１から６のいずれか一項に記載の照明ユニットと、
前記照明ユニットから照射され前記透過原稿を透過した光を光電変換して画像データを出力するイメージセンサと、
を備える画像読み取り装置。
【発明の詳細な説明】
【技術分野】
【０００１】
本発明は、画像読み取り装置用の照明ユニットとそれを用いた画像読み取り装置に関する。
【背景技術】
【０００２】
従来、特許文献１に示されているように、例えば原稿台に設置した写真フィルム等の透過原稿に光を照射して原稿の画像データを光学センサで取得する画像読み取り装置が知られている。このような画像読み取り装置においては、例えば写真フィルムの１コマまたは複数コマに均一に光を照射する所謂面光源が求められる。原稿の面広がり方向に均一に光を照射するためには、特許文献１にも記載されているように、光源と、光源が照射する光を原稿に向ける部材との位置決めが重要である。
【０００３】
【特許文献１】特開２００１−３６６９１号公報
【発明の開示】
【発明が解決しようとする課題】
【０００４】
本発明は、光源に対して光源および導光板を覆う反射シートを正確に位置決めする画像読み取り装置用照明ユニットおよびそれを用いた画像読み取り装置を提供することを目的とする。
【課題を解決するための手段】
【０００５】
（１）上記目的を達成するための画像読み取り装置用照明ユニットは、透明な板状に形成され、板厚方向の両面に突起を有する導光板と、前記導光板の外周縁側方に沿って設置されている光源と、前記突起に嵌合する嵌合穴を有し、前記突起に前記嵌合穴が嵌合した状態で前記光源および少なくとも前記光源が設置されている前記外周縁側の前記導光板の前記両面を覆い、前記光源および前記導光板を覆っている内面で前記光源から照射される光を反射し、反射した光を通過させて原稿台に載置される原稿に照射する窓部を前記導光板の前記両面の一方側に設けている反射シートと、を備える。
【０００６】
導光板の両面に設けた突起に反射シートの嵌合穴が嵌合することにより、導光板に対して導光板を覆う反射シートの位置が正確に位置決めされる。その結果として、導光板の外周縁側方に沿って設置される光源に対して反射シートを正確に位置決めできるので、光源を覆う反射シートと光源との間隔、ならびに光源に対する反射シートの角度を所定の間隔および角度にして反射シートが光源を覆う。これにより、光源から照射される光は、反射シートにより所定の方向に反射され、反射シートが導光板を覆っていない窓部から原稿に向けて均一に広がる。
【０００７】
（２）前記導光板は四角形状に形成され、前記突起は前記両面の各面において長手方向両端側に設けられていてもよい。
導光板の両面において長手方向の両端側に突起が設けられ、これら突起により導光板および光源に対して反射シートが位置決めされるので、導光板の長手方向にわたって導光板および光源に対して反射シートを位置決めできる。
【０００８】
（３）前記突起の間隔は、前記導光板の前記両面で異なっていてもよい。
このように導光板に設ける突起の間隔が導光板の両面でそれぞれ異なっているので、導光板の表裏を認識して導光板に反射シートを組み付けることができる。
【０００９】
（４）前記画像読み取り装置用照明ユニットは、前記窓部を覆い、前記突起に嵌合する穴と、前記突起に位置決めされる切り欠きとを有する光拡散シートをさらに備えてもよい。
窓部を光拡散シートが覆うことにより、反射シートで反射された光源の光をさらに均一に拡散することができる。また、長手方向両端側に設けられている突起の一方に穴を嵌合させた状態で光拡散シートを張りながら光拡散シートの切り欠きを突起の他方で位置決めできるので、光拡散シートに皺を生じさせずに光拡散シートで窓部を覆うことができる。
【００１０】
（５）前記切り欠きは、前記光拡散シートの角部を切り欠いて形成されてもよい。
長手方向両端側に設けられている突起の一方に穴を嵌合させた状態で光拡散シートを張りながら嵌合箇所を中心として光拡散シートを回転し光拡散シートの角部に設けた切り欠きを突起の他方で位置決めできるので、光拡散シートに皺を生じさせずに光拡散シートで窓部を簡単に覆うことができる。
【００１１】
（６）前記突起は前記光源が設置されている前記導光板の前記外周縁近傍に設けられてもよい。
光源に近い箇所で反射シートの嵌合穴が導光板に設けられた突起に嵌合するので、光源と反射シートとの間隔、ならびに光源に対する反射シートの角度を正確に位置決めできる。
【００１２】
（７）上記目的を達成するための画像読み取り装置は、透過原稿を照明する請求項１から６のいずれか一項に記載の照明ユニットと、前記照明ユニットから照射され前記透過原稿を透過した光を光電変換して画像データを出力するイメージセンサと、を備える。
画像読み取り装置は、照明ユニットから均一に照射された光により透過原稿を読み取るので、輝度にむらのない画像データを出力できる。
【発明を実施するための最良の形態】
【００１３】
以下、本発明の実施形態を説明する。図３は、図示しないプリンタ、コピー機等と組み付けられ所謂複合機を構成するイメージスキャナ１０を示す斜視図である。図３の（Ａ）は原稿カバー２０を開いた状態を示し、図３の（Ｂ）は原稿カバー２０を閉じた状態を示している。図３の（Ａ）では、反射原稿を読み取る場合に原稿カバー２０の原稿台１２側を覆う原稿マットが取り外されており、図３の（Ｂ）では、原稿カバー２０の外側を覆うカバーは取り除かれている。イメージスキャナ１０は、複合機の一部ではなくスキャナ単体であってもよい。イメージスキャナ１０は、透明なガラス板からなる原稿台１２を備えるフラットベッド型であり、密着型のイメージセンサを備える画像読み取り装置である。
【００１４】
原稿台１２は、ガラス板等の透明板で形成され、その板面上に透過原稿および反射原稿が載置される。透過原稿は例えばストリップフィルム、マウントフィルム等の現像済み写真フィルムである。透過原稿は図示しないホルダに係止された状態で原稿台１２に載置されてもよいし、そのまま原稿台１２に載置されてもよい。
メインキャリッジ１４は、反射原稿照明ユニット、リニアイメージセンサ、透過原稿読み取り用のイメージセンサ１６等を搭載している。メインキャリッジ１４はばねに押されることによって原稿台１２に密着している。リニアイメージセンサの光電変換素子は主走査方向と一致する方向に配列されている。メインキャリッジ１４は、モータ等により駆動され、ガイドロッド１８に沿って副走査方向に移動する。
【００１５】
原稿カバー２０には透過原稿用の照明ユニット３０が取り付けられている。本実施形態のイメージスキャナ１０では、写真フィルム等の透過原稿に光を照射しイメージセンサ１６に透過原稿を読み取らせる照明ユニットとして照明ユニット３０を使用している。これ以外にも、本発明としては、原稿台１２の下方から原稿台１２に載置した透過原稿を照射し、透過原稿のチェック用の照明ユニットとして照明ユニット３０を使用してもよい。
【００１６】
照明ユニット３０の光は、原稿カバー２０の原稿台１２側に形成された四角形状の開口２２から原稿台１２に向けて照射される。照明ユニット３０の原稿台１２側は透明な保護シート９０により覆われている。照明ユニット３０は、原稿台１２とは反対側の原稿カバー２０に取り付けられている。
図２は、照明ユニット３０を示す斜視図、図１の（Ａ）は図２のＩ−Ｉ線断面図、図１の（Ｂ）は図１の（Ａ）のＢ線部分の拡大図である。光源としてのランプ４０（図４参照）は棒状の水銀ランプであり、両端にケーブル４２が接続されている。ランプ４０は、長方形状の導光板５０の長辺の外周縁５２の側方に沿って設置されている。反射シート６０は、導光板５０の原稿台１２と反対側の面５５を覆うとともに、導光板５０の原稿台１２側の面５４の周囲とランプ４０とを覆っている。ランプ４０は、両端にＯリングが嵌合された状態で反射シート６０に覆われている。図１の（Ｂ）に示すように、２枚の光拡散シート８０は、反射シート６０で覆われていない導光板５０の原稿台１２側の面５４を覆っている。透明な保護シート９０は、光拡散シート８０の外側を覆っている。
【００１７】
次に、導光板５０、反射シート６０、光拡散シート８０の構造について詳細に説明する。
図４は組付前のランプ４０、導光板５０、反射シート６０を示し、図５は導光板５０の板厚方向の両面５４、５５を示し、図６は、反射シート６０の拡大図を示している。
導光板５０は、透明な長方形の板状に形成されている。導光板５０の原稿台１２側の面５４には、導光板５０の内部から外部に照射される光が拡散するように微細な凹凸が形成されている。導光板５０の板厚方向の両面５４、５５には、ランプ４０が設置される側の外周縁５２近傍の長手方向両端側にそれぞれ１組の突起５６、５７が設けられている。突起５６同士の間隔Ｌ１と、突起５７同士の間隔Ｌ２とは長さが異なっている。これは、導光板５０に反射シート６０を組み付けるときに導光板５０の表裏を間違えないためである。
【００１８】
ランプ４０および導光板５０を覆う反射シート６０の内面６１には光を反射するコーティング等の加工が施されている。反射シート６０のランプ４０を覆う箇所には、折り線加工６２が２箇所施されている。この折り線加工６２に沿って折り曲げられることにより、反射シート６０はランプ４０を覆う（図１参照）。導光板５０に形成された突起５６、５７と嵌合する嵌合穴６４、６６、６８は、折り線加工６２の近傍に形成されている。嵌合穴６４、６６は、長手方向の一方の端部側に形成されている。嵌合穴６８は長穴であり、長手方向の他方の端部側に形成されている。反射シート６０の周辺部７０、７４、７６は、導光板５０の原稿台１２側の面５４に折り曲げられる。周辺部７０の嵌合穴６８側の角部に切り欠き７２が形成されている。導光板５０に反射シート６０を組み付けるときには、反射シート６０の長手方向の一方の端部側の嵌合穴６４、６６を導光板５０の長手方向の一方の端部側の突起５６、５７に嵌合し、反射シート６０の長手方向の他方の端部側の嵌合穴６８を導光板５０の長手方向の他方の端部側の突起５７に嵌合し、反射シート６０の長手方向の他方の端部側の切り欠き７２を導光板５０の長手方向の他方の端部側の突起５６に位置合わせする。このように導光板５０に対して反射シート６０を位置合わせすることにより、導光板５０に対して反射シート６０を組み付けるときのずれを防止している。さらに、反射シート６０の嵌合穴６４、６６、６８および切り欠き７２が位置決めされる突起５６、５７は、ランプ４０の設置される側の導光板５０の外周縁５２の近傍、かつ長手方向両端側に設けられている。
【００１９】
したがって、折り線加工６２で反射シート６０を折り曲げた状態において、ランプ４０と反射シート６０との間隔、ならびにランプ４０に対する反射シート６０の角度が、長手方向にわたって所定の間隔、角度になる。これにより、ランプ４０から照射される光が反射シート６０の内面６１で所定方向に反射されるので、光が偏った方向に反射されることを防止できる。
【００２０】
また、反射シート６０の長手方向の他方側は、突起５６、５７に対して長穴状の嵌合穴６８および切り欠き７２により位置決めされる。したがって、嵌合穴６４、６６に対して嵌合穴６８および切り欠き７２の長手方向の加工誤差、あるいは導光板５０において長手方向の一方側の突起５６、５７に対して長手方向の他方側の突起５６、５７の長手方向の加工誤差が生じても、嵌合穴６８および切り欠き７２により加工誤差を吸収できる。
【００２１】
図７は、ランプ４０および導光板５０を反射シート６０で覆った状態を示している。導光板５０の原稿台１２側には、反射シート６０で覆われていない窓部５８が設けられている。反射シート６０で反射したランプ４０の光は、窓部５８から原稿に向けて照射される。
図８は、光拡散シート８０の組付工程を示している。光拡散シート８０は透明なシートである。光拡散シート８０の表面に形成された微細な凹凸により、光拡散シート８０を通過する光は均一に拡散する。光拡散シート８０の長手方向の一方の端部側の角部に導光板５０の突起５６に嵌合する嵌合穴８２が形成され、他方の端部側の角部に切り欠き８４が形成されている。光拡散シート８０に形成する切り欠きは、光拡散シート８０の角部ではなく、他方の端部側の辺の一部を切り欠いて形成してもよい。
【００２２】
そして、突起５６に嵌合穴８２を軽く嵌合させた状態で光拡散シート８０を張りながら、切り欠き８４を突起５６に当てて導光板５０に対して光拡散シート８０を位置決めし、光拡散シート８０で窓部５８を覆う。同様にして２枚目の光拡散シート８０を１枚目の光拡散シート８０の上に貼り付ける。さらに同様にして、保護シート９０を２枚目の光拡散シート８０の上に貼り付ける。このようにして、光拡散シート８０および保護シートを９０を貼り付けることにより、光拡散シートおよび保護シート９０に皺がよることを防止できる。
【００２３】
（他の実施形態）
上記実施形態では、ランプ４０が設置される側の導光板５０の外周縁５２の近傍に突起５６、５７を設けたが、導光板５０の両面に突起が設けられるのであれば、その位置は特に限定されるものではない。例えば、ランプ４０とは反対側の導光板５０の外周縁の近傍に突起５６、５７を設けてもよい。
上記実施形態では、長方形状の導光板５０の１辺の長辺に沿ってランプ４０を設置したが、導光板５０の複数の辺に沿ってランプを設置してもよい。また、導光板の形状は長方形等の四角形状に限るものではなく、他の多角形でもよい。
【図面の簡単な説明】
【００２４】
【図１】（Ａ）は図２のＩ−Ｉ線断面図、（Ｂ）は（Ａ）のＢ線部分の拡大図。
【図２】本実施形態に係る照明ユニット示す斜視図。
【図３】本実施形態に係るイメージスキャナを示す斜視図。
【図４】本実施形態の組み付け前の照明ユニットを示す説明図。
【図５】本実施形態の導光板の表裏を示す説明図。
【図６】本実施形態の反射シートを示す拡大図。
【図７】本実施形態の反射シートを組み付けた照明ユニットの表裏を示す説明図。
【図８】本実施形態の光拡散シートの組付工程を示す説明図。
【符号の説明】
【００２５】
１０：イメージスキャナ（画像読み取り装置）、１２：原稿台、１４：メインキャリッジ、２０：原稿カバー、３０：照明ユニット、４０：ランプ（光源）、５０：導光板、５２：外周縁、５６、５７：突起、６０：反射シート、６４、６６、６８：嵌合穴、７２：切り欠き、８０：光拡散シート、８２：嵌合穴、８４：切り欠き
【図１】
2007036939.tif 000003
【図２】
2007036939.tif 000004
【図３】
2007036939.tif 000005
【図４】
2007036939.tif 000006
【図５】
2007036939.tif 000007
【図６】
2007036939.tif 000008
【図７】
2007036939.tif 000009
【図８】
2007036939.tif 000010